(57)【特許請求の範囲】
【請求項１】
レンジのバーナー部等の両側の少なくとも一方と奥側とを囲むようにして設置する形式の調理用油除けパネルであって、
金属箔からなり、ほぼ矩形平板状の正面パネルと、
金属箔からなり、前記正面パネルに折曲げ自在に接続される、ほぼ矩形平板形状の固定パネルと、前記固定パネルの一面に対してその一面の一部が対向した状態で前記正面パネルに向かってスライド可能な平板形状の可動パネルとからなる側面パネルとを備えた、調理用油除けパネル。
【請求項２】
前記固定パネルは平板部と前記平板部の両側縁に形成された縁巻とからなり、前記可動パネルは平板部と前記平板部の両側縁に形成された縁巻とからなり、前記固定パネルの前記縁巻及び前記可動パネルの前記縁巻の一方が他方に摺動自在に挿入される、請求項１記載の調理用油除けパネル。
【請求項３】
前記固定パネルの前記可動パネル側の端縁は前記可動パネル側に折返された折返し片を形成し、
前記固定パネルの前記縁巻は、前記固定パネルの前記平板部に接続する内層縁巻と前記固定パネルの前記折返し片に接続する外層縁巻とからなり、
前記可動パネルの前記固定パネル側の端縁は前記固定パネル側に折返された折返し片を形成し、
前記可動パネルの前記縁巻は、前記可動パネルの前記平板部に接続する外層縁巻と前記可動パネルの前記折返し片に接続する内層縁巻とからなり、前記固定パネルの前記内層縁巻は前記可動パネルの前記内層縁巻に、前記固定パネルの前記外層縁巻は前記可動パネルの前記外層縁巻に各々摺動自在に当接し、
前記固定パネルの前記折返し片は前記可動パネルの前記平板部に、前記可動パネルの前記折返し片は前記固定パネルの前記平板部に各々当接する、請求項２記載の調理用油除けパネル。
【請求項４】
レンジのバーナー部等の両側の少なくとも一方と奥側とを囲むように設置する、正面パネルと伸縮自在の側面パネルとからなる調理用油除けパネルの製造方法であって、
金属箔からなり、ほぼ矩形形状の第１の平板の長手方向の端部を折返して折返し片を形成する工程と、
金属箔からなり、前記第１の平板の幅とほぼ同一幅の第２の平板の長手方向の端部を折返して折返し片を形成する工程と、
前記第１の平板の前記折返し片が前記第２の平板の平面部に、前記第２の平板の前記折返し片が前記第１の平板の平面部に、互いに当接するように重ね合わせ、前記第１の平板と前記第２の平板とを幅方向の両端縁で揃える工程と、
前記重ね合わされた状態で、前記第１の平板及び前記第２の平板の前記両端縁の各々から前記幅方向の所定範囲を巻き込むようにして縁巻を形成する工程とからなる、調理用油除けパネルの製造方法。
【請求項５】
前記縁巻を形成する工程は、前記第１の平板及び前記第２の平板の長手方向に向かう複数の線条突出部を、前記第１の平板及び前記第２の平板に対して同時にプレス成形する工程を含む、請求項４記載の調理用油除けパネルの製造方法。
【発明の詳細な説明】
【０００１】
【発明の属する技術分野】
この発明は調理用油除けパネルに関し、特に調理中の油の飛散防止のためにコンロ部の少なくとも二方を囲むように設置される調理用油除けパネル及びその製造方法に関するものである。
【０００２】
【従来の技術】
図１４は従来の調理用油除けパネルの使用状態を示した斜視図である。
【０００３】
図を参照して、システムキッチンレンジ６０は、ビルトインコンロとして、レンジトッププレート６１に四角枠形状のガードプレート６２が埋め込まれ、その内部に複数のバーナー部６３が平面的に配置されている。バーナー部６３の各々には、鍋をその上方に配置するために五徳の脚が配置されている。更に、バーナー部６３の後方部には、グリル、オーブン等からの熱気を排出するためのグリル排気口６５が配置されている。
【０００４】
このように構成されたシステムキッチンレンジ６０のガードプレート６２における奥側とその両側の面上に調理用油除けパネル８５が配置されている。調理用油除けパネル８５は、アルミニウム箔等の金属箔をプレス成形することによって形成され、正面パネル８６と正面パネル８６の両側に回動自在に接続された右側面パネル８７及び左側面パネル８８とによって構成されている。正面パネル８６、右側面パネル８７及び左側面パネル８８の外周縁には、巻き込み加工によって形成された縁巻９０が形成されている。又、これらのパネルの上下方向には複数の線条突出部８９が形成されている。
【０００５】
このようにして形成された調理用油除けパネル８５をガードプレート６２上に配置することによって、調理中における油はね等からシステムキッチンレンジ６０の周辺のレンジトッププレート６１や壁面等の汚れを防止することが可能となる。
【０００６】
【発明が解決しようとする課題】
上記のような従来の調理用油除けパネルの構造にあっては、正面パネル、左右側面パネル共に一定寸法によって固定された大きさに構成されている。ところがこのような調理用油除けパネル８５において、右側面パネル８７又は左側面パネル８８の油除け範囲を状況に応じて変化させたいという要望がある。
【０００７】
この発明は上記のような課題を解決するためになされたもので、使用状況に応じて側面パネルの突き出し長さを調整できる調理用油除けパネル及びその製造方法を提供することを目的とする。
【０００８】
【課題を解決するための手段】
上記の目的を達成するために、請求項１記載の発明は、レンジのバーナー部等の両側の少なくとも一方と奥側とを囲むようにして設置する形式の調理用油除けパネルであって、金属箔からなり、ほぼ矩形平板状の正面パネルと、金属箔からなり、正面パネルに折曲げ自在に接続される、ほぼ矩形平板形状の固定パネルと固定パネルの一面に対してその一面の一部が対向した状態で正面パネルに向かってスライド可能な平板形状の可動パネルとからなる側面パネルとを備えたものである。
【０００９】
このように構成すると、側面パネルの正面パネルからの突き出し長さが変化する。
【００１０】
請求項２記載の発明は、請求項１記載の発明の構成において、固定パネルが平板部と平板部の両側縁に形成された縁巻とからなり、可動パネルは平板部と平板部の両側縁に形成された縁巻とからなり、固定パネルの縁巻及び可動パネルの縁巻の一方が他方に摺動自在に挿入されるものである。
【００１１】
このように構成すると、固定パネルと可動パネルとは両側縁の縁巻同士で摺動自在に係合する。
【００１２】
請求項３記載の発明は、請求項２記載の発明の構成において、固定パネルの可動パネル側の端縁は可動パネル側に折返された折返し片を形成し、固定パネルの縁巻は、固定パネルの平板部に接続する内層縁巻と固定パネルの折返し片に接続する外層縁巻とからなり、可動パネルの固定パネル側の端縁は固定パネル側に折返された折返し片を形成し、可動パネルの縁巻は、可動パネルの平板部に接続する外層縁巻と可動パネルの折返し片に接続する内層縁巻とからなり、固定パネルの内層縁巻は可動パネルの内層縁巻に、固定パネルの外層縁巻は可動パネルの外層縁巻に各々摺動自在に当接し、固定パネルの折返し片は可動パネルの平板部に、可動パネルの折返し片は固定パネルの平板部に各々当接するものである。
【００１３】
このように構成すると、固定パネルと可動パネルとは縁巻及び平板部共に各々の端縁側でのみ当接し、それらの間では互いに接触しない。
【００１４】
請求項４記載の発明は、レンジのバーナー部等の両側の少なくとも一方と奥側とを囲むように設置する正面パネルと伸縮自在の側面パネルとからなる調理用油除けパネルの製造方法であって、金属箔からなり、ほぼ矩形形状の第１の平板の長手方向の端部を折返して折返し片を形成する工程と、金属箔からなり、第１の平板の幅とほぼ同一幅の第２の平板の長手方向の端部を折返して折返し片を形成する工程と、第１の平板の折返し片が第２の平板の平面部に、第２の平板の折返し片が第１の平板の平面部に、互いに当接するように重ね合わせ、第１の平板と第２の平板とを幅方向の両端縁で揃える工程と、重ね合わされた状態で、第１の平板及び第２の平板の両端縁の各々から幅方向の所定範囲を巻き込むようにして縁巻を形成する工程とからなるものである。
【００１５】
このように構成すると、第１の平板と第２の平板とは縁巻及び平面部共に各々の端部側でのみ当接し、それらの間では互いに接触しない。
【００１６】
請求項５記載の発明は、請求項４記載の発明の構成において、縁巻を形成する工程は、第１の平板及び第２の平板の長手方向に向かう複数の線条突起部を、第１の平板及び第２の平板に対して同時にプレス成形する工程を含むものである。
【００１７】
このように構成すると、第１の平板と第２の平板とが一体となった状態での伸縮方向の線条突起部が形成される。
【００１８】
【発明の効果】
以上説明したように、請求項１記載の発明は、側面パネルの正面パネルからの突き出し長さが変化するので、使用状況に応じて側面パネルの突き出し長さを調整することができるので使い勝手が向上する。
【００１９】
請求項２記載の発明は、請求項１記載の発明の効果に加えて、固定パネルと可動パネルとは縁巻同士で係合するので、側面パネルを構成する固定パネルと可動パネルとの安定したスライド動作が実現される。
【００２０】
請求項３記載の発明は、請求項２記載の発明の効果に加えて、固定パネルと可動パネルとは各々の端縁側の間では互いに接触しないので、スライド動作に対する抵抗が軽減され、安定したスライド動作が確保される。
【００２１】
請求項４記載の発明は、伸縮動作に対する抵抗が少なく且つ安定した伸縮動作が可能な側面パネルが形成される。
【００２２】
請求項５記載の発明は、請求項４記載の発明の効果に加えて、伸縮方向の線条突起が形成されるので、第１の平板と第２の平板との伸縮動作時における幅方向へのずれを防止し、スムーズな伸縮を可能とする側面パネルが形成される。
【００２３】
【発明の実施の形態】
図１はこの発明の第１の実施の形態による調理用油除けパネルの外観形状を示した斜視図である。
【００２４】
図を参照して、調理用油除けパネル１７はほぼ矩形形状の正面パネル１８と、正面パネル１８の両側の各々に折曲げ自在に接続される右側面パネル１９及び左側面パネル２０とから構成される。これらはいずれもアルミニウム箔をプレス成形加工することによって形成されるものである。
【００２５】
正面パネル１８はその上方部が緩やかな山型形状を有している平板部２３よりなり、平板部２３の上端部及び下端部は各々曲げ加工されて縁巻２４及び縁巻２５が形成されている。尚、平板部２３の両端部は折曲げ自在の固定パネル２７ａ及び固定パネル２７ｂが接続されているが、これらは右側面パネル１９及び左側面パネル２０の一部を構成するものである。
【００２６】
右側面パネル１９は、上述のように正面パネル１８に折曲げ自在に接続された固定パネル２７ａと、固定パネル２７ａの内方面にその外方面が対向した状態で固定パネル２７ａに対して正面パネル１８に向かってスライド可能な可動パネル３１ａとから構成される。
【００２７】
固定パネル２７ａは、矩形平板形状の平板部２８ａと平板部２８ａの両側縁に形成された縁巻２９ａ及び縁巻３０ａとから構成される。
【００２８】
可動パネル３１ａは、１つの角が丸みを帯びた矩形平板形状の平板部３２ａと、平板部３２ａの両側縁に形成された縁巻３４ａ及び縁巻３５ａとから構成される。尚、平板部３２ａの下方部には、内方側に折曲げられて油受けとして機能する折曲げ部３３ａが形成されている。又、折曲げ部３３ａの下面には、調理用油除けパネル１７の設置時に右側面パネル１９の不用意な移動を防止するための滑り防止テープ３６ａが接着されている。
【００２９】
固定パネル２７ａと可動パネル３１ａとは、固定パネル２７ａの縁巻２９ａ及び縁巻３０ａと、可動パネル３１ａの縁巻３４ａ及び縁巻３５ａの各々とが係合することによって、これらはスライド可能となっている。このスライド構造の詳細については後述する。
【００３０】
一方、左側面パネル２０も同様に固定パネル２７ｂ及び可動パネル３１ｂによって構成され、これらは固定パネル２７ｂの縁巻２９ｂ及び縁巻３０ｂと、可動パネル３１ｂの縁巻３４ｂ及び縁巻３５ｂの各々が係合することによって、互いにスライド可能となっている。
【００３１】
図２は図１の“Ｘ”部分の拡大斜視図であり、図３は図２のＩＩＩ−ＩＩＩラインの端面図であり、図４は図２のＩＶ−ＩＶラインの端面図であり、図５は図２のＶ−Ｖラインの端面図であり、図６は図２のＶＩ−ＶＩラインの端面図であり、図７は図２のＶＩＩ−ＶＩＩラインの端面図である。
【００３２】
これらの図を参照して、まず固定パネル２７ｂの縁巻２９ｂと可動パネル３１ｂの縁巻３４ｂの係合状態について説明する。図６に示されているように、縁巻２９ｂの先端部は外方方向に折返されて、“Ａ”の範囲において外層縁巻５０と内層縁巻５１との二層構造の縁巻となっている。一方、縁巻３４ｂの先端部分は内方側に折返されて、“Ｃ”の範囲において外層縁巻４７及び内層縁巻４８との二層構造の縁巻となっている。すなわち、“Ａ”の範囲においては縁巻２９ｂの外層縁巻５０は縁巻３４ｂの内面に摺動自在に当接した状態となっている。そして、“Ｃ”の範囲においては縁巻３４ｂの内層縁巻４８は縁巻２９ｂの外面に摺動自在に当接した状態となっている。
【００３３】
これらの当接状態は“Ａ”の範囲にあっては図３に示された断面状態となっており、“Ｃ”の範囲においては図５に示された断面状態となっている。又、図６に示されているように、“Ｂ”の範囲においては縁巻２９ｂと縁巻３４ｂとは接触することなく隙間４９が形成されている。この“Ｂ”の部分の断面状態は図４に示されている。
【００３４】
縁巻２９ｂと縁巻３４ｂとは以上のように係合しているため、使用時には係合程度、すなわち“Ｂ”の範囲を増減させるように縁巻２９ｂの縁巻３４ｂに対する挿入程度を変化させる。この場合、図６から明らかなように“Ｂ”の範囲の広さが変化したとしても、縁巻２９ｂと縁巻３４ｂの接触面積は“Ａ”及び“Ｃ”の範囲が変化しないため一定である。このため縁巻２９ｂと縁巻３４ｂとの摺動時に生じる抵抗はそれらの挿入程度に関わらず一定であり、且つ“Ｂ”の範囲において接触するものに比べて摺動抵抗が軽減する。
【００３５】
更に、縁巻２９ｂ及び縁巻３４ｂの各々は“Ａ”と“Ｃ”の範囲における２箇所で常時当接しているため、これらの係合状態が安定してスムーズな挿入動作が保証される。
【００３６】
次に図７を参照して、固定パネル２７ｂの平板部２８ｂと可動パネル３１ｂの平板部３２ｂとの係合状態について説明する。平板部２８ｂの先端部は、平板部３２ｂ側に折返されて“Ａ”の範囲において折返し片４４となり、平板部３２ｂに当接した状態となっている。一方、平板部３２ｂの先端部も、平板部２８ｂ側に折返されて“Ｃ”の範囲において折返し片４０が形成され、平板部２８ｂに当接した状態となっている。
【００３７】
これによって平板部２８ｂの折返し片端部４３は、外方に露出することなくその端部は丸みを帯びた折返し部４２となる。そのため、折返し片端部４３がそのまま外方に露出する状態に比べて取扱時の安全性の向上と共に、端部が２重になり強度も向上する。同様に平板部３２ｂにおいても、折返し片端部４１は外方に露出せず、丸みを帯びた折返し部３９が形成されて安全性及び強度が向上する。
【００３８】
平板部２８ｂ及び平板部３２ｂはこのように構成されているため、“Ｂ”の範囲においてはそれらは互いに接触せず隙間４５が形成されている。従って平板部２８ｂと平板部３２ｂとは、それらの端部は互いに当接した状態でありながら隙間４５の存在によって平板部２８ｂに対して平板部３２ｂをスライドさせた場合に生じる接触抵抗を軽減することが可能となる。
【００３９】
尚、図２においては図１の“Ｘ”部分のみを示しているが、固定パネル２７ｂの縁巻３０ｂと可動パネル３１ｂの縁巻３５ｂとの係合も同様の構造である。従って、固定パネル２７ｂと可動パネル３１ｂとは、それらの当接状態を保持しながらスムーズで且つ安定した可動パネル３１ｂの固定パネル２７ｂに対するスライド動作が可能となる。
【００４０】
図８は図２で示した平板部と縁巻との構造よりなる側面パネルの製造方法を示した図である。
【００４１】
図８の（１）に示されているように、アルミニウム箔よりなる矩形形状の第１の平板５３と、同様にアルミニウム箔よりなる矩形形状の第２の平板５４とを各々準備する。尚、第１の平板５３の端部５５の長さすなわち第１の平板５３の幅方向の長さと、第２の平板５４の端部５６の長さすなわち第２の平板５４の幅方向とはほぼ同一長さとなっている。
【００４２】
次に、図８の（２）に示されているように、第１の平板５３の端部５５から所定範囲の部分を第２の平板５４側に折返して折返し片５７を形成する。同様に第２の平板５４の端部５６から所定範囲の部分を第１の平板５３側に折返して折返し片５８を形成する。この状態で図８の（３）に示されているように、第１の平板５３の折返し片５７が第２の平板５４の平面部に対して、第２の平板５４の折返し片５８を第１の平板５３の平面部に対して互いに接触する状態に重ね合わせる。
【００４３】
この重ね合わされた状態で、図８の（３）において二点鎖線で示された部分から外方の部分を、矢印で示す方向に第１の平板５３及び第２の平板５４を一体的に巻き込むように曲げ加工して縁巻を形成する。このようにして図２で示したような固定パネル２７ｂ及び可動パネル３１ｂの係合構造を一度のプレス成形によって得ることが可能となる。その結果、一度の曲げ加工によって図６で示すような縁巻係合構造を一体的に形成することが可能となる。これによって、縁巻２９ｂと縁巻３４ｂとの当接状態は良好となり、スムーズな係合状態を確保することができる。
【００４４】
又、このように平板部及び縁巻を形成するため、固定パネル２７ｂの折返し部と可動パネル３１ｂの折返し部とがストッパーの役目を果たし、可動パネル３１ｂを引き出したときの固定パネル２７ｂからの不用意な脱落を防止する。このストッパー機能について次に説明する。
【００４５】
まず、図６において縁巻３４ｂを縁巻２９ｂから引き抜こうとした場合を想定する。この場合、縁巻３４ｂの引き抜き動作に応じて内層縁巻４８が縁巻２９ｂの外層縁巻５０の方向に移動することになる。そして最終的には、内層縁巻４８の端部が外層縁巻５０の端部に当接し、それ以上の縁巻３４ｂの移動を阻止する。この様にして、内層縁巻４８及び外層縁巻５０が形成されていない構造における縁巻係合のような不用意な脱落を防止することが可能となる。
【００４６】
尚、この折返し部のストッパーとしての機能は図７で示されているように平板部における折返し片によっても期待できるものである。しかし、平板部にあってはそれらの接触間距離が変化し易く、平板部２８ｂの折返し片４４の折返し片端部４３と、平板部３２ｂの折返し片４０の折返し片端部４１とが接触しない場合も有り得る。これに対して縁巻部分にあっては、縁巻２９ｂと縁巻３４ｂとの接触間距離が変化する虞れが少なく、よりストッパーとしての機能の信頼性が高まるものである。
【００４７】
図９は図１で示した調理用油除けパネル１７の使用状態の一例を示した斜視図である。
【００４８】
図を参照して、システムキッチンレンジ６０はビルトインコンロとしてレンジトッププレート６１に四角枠形状のガードプレート６２が埋め込まれ、その内部に複数（図では４個）のバーナー部６３が平面的に配列されている。バーナー部６３の各々には、ポットや鍋等をその上方に載置するための五徳部として、複数の五徳の脚６４が配置されている。更に、コンロ部の後方には、レンジトッププレート６１におけるグリル、オーブン等からの熱気を排出するためのグリル排気口６５が配置されている。
【００４９】
調理用油除けパネル１７を使用する際には、正面パネル１８に対して右側面パネル１９及び左側面パネル２０を直角方向に折曲げた状態でガードプレート６２上に設置する。このとき正面パネル１８の下部はガードプレート６２の奥側の面に載置され、右側面パネル１９はガードプレート６２の右側の面に載置され、左側面パネル２０はガードプレート６２の左側の面に載置される。これによってバーナー部６３及びグリル排気口６５の後方側の壁面や両外側のレンジトッププレート６１の面を、調理時の油はねの汚れ等から防止することが可能となる。
【００５０】
尚、右側面パネル１９の折曲げ部３３ａの下面には滑り防止テープ３６ａが、左側面パネル２０の折曲げ部３３ｂの下面には滑り防止テープ３６ｂが各々貼り付けられている。これによってガードプレート６２との滑り抵抗を増加させ使用時の鍋等の接触による右側面パネル１９や左側面パネル２０の不用意な正面パネル１８に対する開きを防止する。
【００５１】
図１０は図１で示した調理用油除けパネル１７の使用状態の他の例を示した斜視図である。
【００５２】
図を参照して、この使用例においては、調理用油除けパネル１７をガードプレート６２上に載置する点は先の使用例と同じであるが、右側面パネル１９の可動パネル３１ａの固定パネル２７ａに対する係合状態と、左側面パネル２０の縁巻３４ｂの固定パネル２７ｂに対する係合状態とが先の例とは異なっている。すなわち、この使用例においては、可動パネル３１ａを矢印で示す方向に中間位置まで引き出されており、一方、可動パネル３１ｂは矢印の方向に固定パネル２７ｂに対して最大位置まで引き出されている。このように使用時の状況に応じて可動パネル３１ａ及び可動パネル３１ｂの引き出し程度を変えることによって、より使い勝手のよいものとなる。
【００５３】
尚、可動パネル３１ａの折曲げ部３３ａ及び可動パネル３１ｂの折曲げ部３３ｂの各々には滑り防止テープ３６ａ及び滑り防止テープ３６ｂが貼り付けられている。従って、これらは右側面パネル１９及び左側面パネル２０の正面パネル１８に対する不用意な開きを防止すると共に、可動パネル３１ａ及び可動パネル３１ｂの引き出した位置を安定して保持する効果も奏するものである。
【００５４】
図１１及び図１２はこの発明の第２の実施の形態による調理用油除けパネルの側面パネルにおける縁巻部の係合構造等を示したものであり、図１１は第１の実施の形態による図６に対応するものであり、同様に図１２は図７に対応した図である。
【００５５】
これらの図を参照して、縁巻２９ｂの外層縁巻５０の先端が更に内方側に折返され、“Ｄ”の範囲において中間層縁巻７０を構成している。一方、縁巻３４ｂの内層縁巻４８の先端側も更に内方側に折返され、“Ｅ”の範囲において中間層縁巻６９を構成している。同様に、平板部２８ｂの第１の折返し片７８の先端部も第２の折返し部７９において更に折返され、“Ｄ”の範囲において第２の折返し片８０を構成している。一方、平板部３２ｂの第１の折返し片７４の先端部も第２の折返し部７５において内方側に更に折返され、“Ｅ”の範囲において第２の折返し片７６を構成している。
【００５６】
尚、このような構造となるのは、図８の（１）に示されている第１の平板５３及び第２の平板５４として、各々の端部５５及び端部５６が当初から内方側に折曲げられた平板を使用する場合に生じるものである。このように既に端部が折返された第１の平板５３及び第２の平板５４を用いて図８の（２）及び（３）の工程を実施し、これをプレス成形することによって図１及び図１２で示した構造の調理用油除けパネルを製造することが可能となる。
【００５７】
このような構造となると、縁巻における７１及び平板部における隙間８１の間隔が先の第１の実施の形態によるものに比べてより大きくなる。従って、固定パネルと可動パネルとのスライド時における摺動抵抗をより安定して軽減することが可能となる。
【００５８】
図１３はこの発明の第３の実施の形態による調理用油除けパネルの側面パネルの断面構造であって、第１の実施の形態による図３に対応したものである。
【００５９】
図を参照して、縁巻３４ｂと縁巻２９ｂとの係合構造は第１の実施の形態によるものと変わらない。しかしこの実施の形態においては、固定パネル２７ｂの平板部２８ｂと可動パネル３１ｂの平板部３２ｂ及び折返し片４０とに対して、これらのスライド方向、すなわち紙面においては貫通する方向に伸びる複数の線条突出部８２を一体的にプレス成形したものである。このような線条突出部８２を固定パネル２７ｂ及び可動パネル３１ｂに形成することによって、スライド方向に対する直角方向（幅方向）へのずれを防止することが可能となり、よりスムーズな可動パネルのスライド動作が可能となる。
【００６０】
尚、上記の実施の形態においては、正面パネルに対して右側面パネルと左側面パネルとを設けているが、用途によっては左右側面パネルの一方のみを正面パネルに接続してもよく、同様の効果を奏する。
【００６１】
又、上記の実施の形態においては、システムキッチンレンジを対象としているが、テーブルに載置する形式のガスレンジ等にも適用できることは言うまでもない。
【００６２】
更に、上記の実施の形態においては、側面パネルの面は載置面に対して鉛直方向に配置されているが、内方、外方のいずれかに傾斜したように配置された状態でスライドできるように構成したものでもよい。
【００６３】
更に、上記の各実施の形態では、互いに係合する縁巻は各々その径が一定のものとしているが、これに代えて、挿入すべき縁巻をその径が開放端に向かって漸縮するようにし、一方、挿入される縁巻をその径が開放端に向かって漸拡するような形状としても良い。このように構成すると、縁巻同士のスライド動作がスムーズになり、又、挿入すべき縁巻を押し込んだ際のストッパー効果を発揮する。尚、その場合であっても、一方の縁巻を他方の縁巻から引き抜いた際、一方の縁巻の外層縁巻は他方の縁巻の内層縁巻に少なくともその一部が接触するため、引き抜き時のストッパー機能は発揮され不用意な脱落が防止される。
【００６４】
更に、上記の各実施の形態では、可動パネルの縁巻に固定パネルの縁巻を挿入しているが、これに代えて固定パネルの縁巻に可動パネルの縁巻を挿入するように構成しても同様の効果を奏する。
【図面の簡単な説明】
【図１】この発明の第１の実施の形態による調理用油除けパネルの外観形状を示した斜視図である。
【図２】図１の“Ｘ”部分の拡大図である。
【図３】図２のＩＩＩ−ＩＩＩラインの端面図である。
【図４】図２のＩＶ−ＩＶラインの端面図である。
【図５】図２のＶ−Ｖラインの端面図である。
【図６】図２のＶＩ−ＶＩラインの端面図である。
【図７】図２のＶＩＩ−ＶＩＩラインの端面図である。
【図８】図１で示した側面パネルの製造方法を示した工程図である。
【図９】この発明の第１の実施の形態による調理用油除けパネルの使用状態の一例を示した斜視図である。
【図１０】この発明の第１の実施の形態による調理用油除けパネルの使用状態の他の例を示した斜視図である。
【図１１】この発明の第２の実施の形態による調理用油除けパネルの側面パネルの縁巻構造を示した端面図である。
【図１２】この発明の第２の実施の形態による調理用油除けパネルの側面パネルの平板部の構造を示した端面図である。
【図１３】この発明の第３の実施の形態による調理用油除けパネルの側面パネルの断面構造を示した図である。
【図１４】従来の調理用油除けパネルの使用状態を示した斜視図である。
【符号の説明】
１７…調理用油除けパネル
１８…正面パネル
１９…右側面パネル
２０…左側面パネル
２７…固定パネル
２８…平板部
２９，３０，３４，３５…縁巻
３１…可動パネル
４０，４４…折返し片
４７，５０…外層縁巻
４８，５１…内層縁巻
５３…第１の平板
５４…第２の平板
５７，５８…折返し片
尚、各図中同一符号は同一又は相当部分を示す。
【図１】
0003735235.tif 000002
【図２】
0003735235.tif 000003
【図３】
0003735235.tif 000004
【図４】
0003735235.tif 000005
【図５】
0003735235.tif 000006
【図６】
0003735235.tif 000007
【図７】
0003735235.tif 000008
【図８】
0003735235.tif 000009
【図９】
0003735235.tif 000010
【図１０】
0003735235.tif 000011
【図１１】
0003735235.tif 000012
【図１２】
0003735235.tif 000013
【図１３】
0003735235.tif 000014
【図１４】
0003735235.tif 000015